(57)【特許請求の範囲】
【請求項１】
シートバックが回転ロック機能を備えたリクライニング装置を介してシートクッションに背凭れ角度調節可能な状態に連結された車両用シートであって、
前記リクライニング装置のロック状態を解除するための操作軸が、前記リクライニング装置に軸方向に挿通されて組み付けられており、
前記操作軸は、その前記リクライニング装置からシート外側に突出する外側の端部と、同外側に位置する前記シートバック又は前記シートクッションを構成するフレーム部と、の間にトーションスプリングが掛着され、常時は該トーションスプリングにより前記リクライニング装置をロックさせる回転方向に附勢された状態とされており、
前記トーションスプリングは、前記操作軸の前記外側の端部にシート外側から軸方向に挿通されて巻装されるとともに、軸方向の両端において、前記リクライニング装置に対しより近いシート内側の端部と、前記リクライニング装置から離れたシート外側の端部を有し、前記トーションスプリングの挿通先となる軸方向における前記シート内側の端部が前記操作軸に掛着され、軸方向における前記シート外側の端部が前記フレーム部に掛着されて設けられていることを特徴とする車両用シート。
【請求項２】
請求項１に記載の車両用シートであって、
前記トーションスプリングの前記シート内側の端部は、前記操作軸に形成された角張った部分に合致するように形成され、前記角張った部分は、角張った断面形状を有することを特徴とする車両用シート。
【請求項３】
請求項１又は請求項２に記載の車両用シートであって、
前記リクライニング装置が前記シートバックの左右両側部と前記シートクッションの左右両側部との間にそれぞれ設定され、当該各リクライニング装置のそれぞれに前記操作軸が設定されて、当該各操作軸がロッドにより互いに一体的に回動するように連結されており、前記各操作軸のうちの一方に前記各リクライニング装置のロック状態を解除するための操作レバーが繋がれており、前記トーションスプリングが前記各リクライニング装置自体に個別に設定された前記各操作軸をロックさせる回転方向に附勢するためのロックスプリングとは別途に前記各操作軸のシート外側の端部と当該各外側に位置する前記各フレーム部との間にそれぞれ掛着されて設けられており、前記操作レバーの操作前の初期位置に遊びを設定したことによる前記操作レバーの初期位置でのガタ付きを押さえるための附勢部材として機能するようになっていることを特徴とする車両用シート。
【発明の詳細な説明】
【技術分野】
【０００１】
本発明は、車両用シートに関する。詳しくは、シートバックが回転ロック機能を備えたリクライニング装置を介してシートクッションに背凭れ角度調節可能な状態に連結された車両用シートに関する。
【背景技術】
【０００２】
従来、車両用シートにおいて、シートクッションの車両外側の側部に設けられた解除レバーの引き操作によって、シートバックの背凭れ角度の固定状態を解除して、背凭れ角度の調節操作を行えるようにした構成が知られている（特許文献１）。上記解除レバーは、シートバックとシートクッションとを連結しているリクライニング装置の中心部に挿通されたロック解除操作用の操作軸に一体的に連結されて設けられている。上記解除レバーは、常時は、上記操作軸の車両外側の端部とシートクッションの車両外側のフレーム部との間に掛着されたトーションスプリングによって、リクライニング装置をロック状態にして保持する下げの回転方向に附勢された状態とされている。
【先行技術文献】
【特許文献】
【０００３】
【特許文献１】特開２００９−９５４３２号公報
【発明の概要】
【発明が解決しようとする課題】
【０００４】
しかし、上記特許文献１に記載の従来技術では、トーションスプリングが、リクライニング装置の操作軸に設定された軸方向の隙間によるガタ付きにより、操作軸との掛着が外れやすい構成となっている。本発明は、上記問題を解決するものとして創案されたものであって、本発明が解決しようとする課題は、リクライニング装置の操作軸にロックの回転方向への附勢力をかけるトーションスプリングが、操作軸に軸方向のガタ付きがあっても、操作軸との掛着から外れにくくなるようにすることにある。
【課題を解決するための手段】
【０００５】
上記課題を解決するために、本発明の車両用シートは次の手段をとる。
第１の発明は、シートバックが回転ロック機能を備えたリクライニング装置を介してシートクッションに背凭れ角度調節可能な状態に連結された車両用シートである。リクライニング装置のロック状態を解除するための操作軸が、リクライニング装置に軸方向に挿通されて組み付けられている。操作軸は、そのリクライニング装置からシート外側に突出する外側の端部と、同外側に位置するシートバック又はシートクッションを構成するフレーム部と、の間にトーションスプリングが掛着され、常時はこのトーションスプリングによりリクライニング装置をロックさせる回転方向に附勢された状態とされている。トーションスプリングは、操作軸の外側の端部にシート外側から軸方向に挿通されて巻装されるとともに、軸方向の両端において、シートに対しより近いシート内側の端部と、シートから離れたシート外側の端部を有する。前記トーションスプリングは、その挿通先となるシート内側の端部が操作軸に掛着され、シート外側の端部がフレーム部に掛着されて設けられている。
【０００６】
この第１の発明によれば、トーションスプリングは、操作軸がシート内側（軸方向）にガタ付いても、そのシート内側の端部と操作軸のシート外側の端部との間に巻装された軸方向のラップ長があることにより、操作軸との掛着から外れにくくなる。また、トーションスプリングは、その内外の端部が互いに相反する軸方向位置に設定された形状となっているため、操作軸がシート内側（軸方向）にガタ付いても、軸方向に延伸される変形態様となり、押し窄められて操作軸の端部から外されるような変形態様とはならなくなる。このように、トーションスプリングを、操作軸に設定された軸方向の隙間によるガタ付きがあっても、操作軸との掛着から外れにくくなるようにすることができる。
【０００７】
第２の発明は、上述した第１の発明において、次の構成になっているものである。すなわち、トーションスプリングのシート内側の端部は、操作軸に形成された角張った部分に合致するように形成され、角張った部分は、角張った断面形状を有するようになっている。
【０００８】
この第２の発明によれば、トーションスプリングを、操作軸に対して、シート外側から軸方向に挿通することにより、そのシート内側の端部を操作軸の角張った断面形状部に合致させた状態に掛着させることができる。また、トーションスプリングのシート内側の端部が操作軸に掛着する両者の軸方向のラップ長を、上記操作軸の角張った断面形状部を軸方向に延長することで簡便に長く設定することができる。
【０００９】
第３の発明は、上述した第１又は第２の発明において、次の構成となっているものである。リクライニング装置が、シートバックの左右両側部とシートクッションの左右両側部との間にそれぞれ設定されている。各リクライニング装置のそれぞれに操作軸が設定されており、各操作軸は、ロッドにより互いに一体的に回動するように連結されている。各操作軸のうちの一方に、各リクライニング装置のロック状態を解除するための操作レバーが繋がれている。トーションスプリングが各リクライニング装置自体に個別に設定された各操作軸をロックさせる回転方向に附勢するためのロックスプリングとは別途に、各操作軸のシート外側の端部と同外側に位置する各フレーム部との間にそれぞれ掛着されて設けられており、操作レバーの操作前の初期位置に遊びを設定したことによる操作レバーの初期位置でのガタ付きを押さえるための附勢部材として機能するようになっている。
【００１０】
この第３の発明によれば、リクライニング装置及び操作軸が左右両側部に設定される構成において、各操作軸がロッドを介して軸方向に１つに組み付けられることで設定される軸方向の組み付け隙間をガタ付いても、各トーションスプリングを外れにくくすることができる。トーションスプリングを左右両側部に設定することで、操作レバーの初期位置でのガタ付きを押さえるための附勢を、左右で偏ることなくバランスよくかけることができる。
【図面の簡単な説明】
【００１１】
【図１】実施例１の車両用シートの概略構成を示した斜視図である。
【図２】車両用シートの側面図である。
【図３】図２のIII-III線断面図である。
【図４】操作軸が軸方向に動いた状態を示した断面図である。
【発明を実施するための形態】
【００１２】
以下に、本発明を実施するための形態について、図面を用いて説明する。
【実施例１】
【００１３】
始めに、実施例１の車両用シート１の構成について、図１〜図４を用いて説明する。本実施例の車両用シート１は、図１に示すように、自動車の助手席シートとして構成されており、着座乗員の背凭れとなるシートバック２と、着座部となるシートクッション３と、を有する。シートバック２は、その左右両側の下端部が、車両のフロア上に設置されたシートクッション３の左右両側の各後端部に対して、それぞれ、回転止め可能な回転軸装置として機能するリクライニング装置４を間に介して連結された構成となっている。
【００１４】
上記各リクライニング装置４は、詳しくは、シートバック２の骨格を成すシートバックフレーム２ａの左右両側の下端部と、シートクッション３の骨格を成すシートクッションフレーム３ａの左右両側の後端部と、の間にそれぞれ介設され、これらを互いに同軸回りに相対回転可能な状態となるように連結している。これにより、シートバック２が、シートクッション３に対して、シート前後方向に背凭れ角度調節可能な状態に連結された状態とされている。上記各リクライニング装置４は、それらの内部に備えられた回転止め構造（ロック構造）によって、シートバック２の背凭れ角度を変化させられる状態（アンロック状態）とロックした状態とに切り替えられるようになっている。
【００１５】
詳しくは、上記各リクライニング装置４は、それらの中心部に挿通された各操作軸４ａの軸回転操作に伴って、ロック・アンロックの各状態に切り替えられるようになっており、各操作軸４ａがロッド４ｂによって互いに一体的に連結されていることにより、互いのロック・アンロックの切替え操作が左右で同期して一斉に行われるようになっている。
【００１６】
上記各リクライニング装置４は、常時は、後述するバネの附勢構造によってロックした作動状態に保持されており、シートバック２の背凭れ角度を固定した状態となって保持されている。そして、このシートバック２の背凭れ角度の固定状態は、シートクッション３の車両外側（図１の紙面右側）の側部に設けられた解除レバー５を引き上げる操作によって、各操作軸４ａが一斉に軸回転操作されて解除されるようになっている。この解除操作により、シートバック２がその背凭れ角度位置を自由に調節することができる状態となる。また、上記の解除操作をやめることにより、各リクライニング装置４が再びそれらのバネ附勢構造によってロックした状態に戻されて、シートバック２の背凭れ角度が固定された状態に戻される。
【００１７】
ここで、上記シートバックフレーム２ａの左右両側部とシートクッションフレーム３ａの左右両側部との間には、シートバック２を常時シート前方側に向かって回転附勢する渦巻きバネ６が掛着されている。これら渦巻きバネ６は、図２に示すように、それらの内側の端部６ａが、シートクッションフレーム３ａの左右両外側の側部に結合されたＬ字板３ｂの両外側に張り出す板部の前縁部に掛着されて固定されており、外側の端部６ｂが、シートバックフレーム２ａの左右両外側の側部に結合されたＬ字板２ｂの両外側に張り出す板部の後縁部にそれぞれ掛着されて固定されている。
【００１８】
これら渦巻きバネ６の附勢力により、シートバック２は、その背凭れ角度の固定状態が解かれると、着座乗員の背部に当たる位置まで起こし上げられて、着座乗員の背部が前後に傾動される動きに追従してその背凭れ角度位置を自由に変動させられるようになっている。なお、上記シートバック２の回転可能領域は、上述したシートバックフレーム２ａの左右両外側の側部に結合されたＬ字板２ｂの前縁部又は後縁部が、シートクッションフレーム３ａの左右両側部の前部又は後部に突出して形成された前倒れストッパ３ｄ１又は後倒れストッパ３ｄ２と当たる位置間の領域として設定されている。
【００１９】
ところで、上述した各リクライニング装置４は、図３に示すように、円盤形状のラチェット１０及びガイド２０と、これらの間に挟まれて配設される図示しないロック部品と、ロック部品をロック・アンロック作動させるヒンジカム３０と、ヒンジカム３０を常時ロック作動させる方向に回転附勢するロックスプリング４０と、ラチェット１０とガイド２０とを組み付けた状態に保持する外周リング５０と、を有する構成となっている。ラチェット１０は、その円盤部１１の外周部に、板厚方向（軸方向）に円筒状に突出する円筒部１２が形成された構成となっている。このラチェット１０の中心部には、丸孔状の貫通孔１３が板厚方向に貫通して形成されている。ガイド２０は、上記ラチェット１０よりもひとまわり大きな円盤形状に形成されており、その円盤部２１の外周部には、ラチェット１０への組み付け方向となる板厚方向（軸方向）に円筒状に突出する円筒部２２が形成された構成となっている。このガイド２０の中心部にも、丸孔状の貫通孔２３が板厚方向に貫通して形成されている。
【００２０】
上記ラチェット１０とガイド２０とは、互いの円筒部１２，２２同士を軸方向に嵌め込むように組み付けられることにより、互いの円筒部１２，２２同士が径方向の内外に緩やかに嵌まり合った状態となって、互いに相対回転可能に内外に支え合った状態となって組み付けられる。そして、この組み付けたラチェット１０とガイド２０との外周部間に、外周リング５０を跨らせて組み付けることにより、ラチェット１０とガイド２０とが互いに軸方向に外れ止めされた状態となって保持されている。上記ラチェット１０は、その外側の板面が、シートバックフレーム２ａの外側の板面に一体的に結合されて組み付けられており、ガイド２０は、その外側の板面が、シートクッションフレーム３ａの内側の板面に一体的に結合されて組み付けられている。これにより、各リクライニング装置４が、シートバックフレーム２ａの各側部をシートクッションフレーム３ａの各側部に対して、互いに同軸まわりに回転可能となるように軸支した状態として、これらを連結した状態となって組み付けられている。
【００２１】
上記ラチェット１０とガイド２０との間には、これらの相対回転をロックしたり解除したりする図示しないロック部品が設けられている。具体的には、上記図示しないロック部品は、ガイド２０に対して、半径方向の内外方にしか移動できないように円周方向に支えられた状態としてセットされている。上記ロック部品は、ガイド２０の中心部に回転可能に軸支されたヒンジカム３０の一方向又は他方向の回動により、半径方向の外側に押し出されてラチェット１０の円筒部１２の内周面（歯面）に押し付けられて噛合されたり、半径方向の内側に引き戻されて噛合状態から外されたりするように操作されるようになっている。
【００２２】
上記ヒンジカム３０の回転により上記ロック部品がラチェット１０の円筒部１２の内周面に噛合することにより、リクライニング装置４は、そのラチェット１０とガイド２０との相対回転が規制されたロック状態となる。すなわち、上記ロック部品は、ガイド２０との関係においては、半径方向の内外方にしか移動できないように円周方向に支持された状態となっており、このようなロック部品がラチェット１０と噛合して回転方向に一体的な状態となることにより、ラチェット１０とガイド２０とが上記ロック部品を介して互いの相対回転がロックされた状態となる。
【００２３】
上述したヒンジカム３０は、その一部が、ガイド２０の中心部に貫通形成された丸孔状の貫通孔２３内に挿通されて、ガイド２０に対して回転可能に軸支された状態として設けられている。そして、上記ヒンジカム３０は、ガイド２０との間に掛着されたロックスプリング４０の附勢力によって、常時、一の回転方向に附勢された状態とされており、この附勢による回動によって、上述した図示しないロック部品を半径方向の外側に押し出してリクライニング装置４をロックさせた状態に保持した状態となっている。
【００２４】
上記ヒンジカム３０は、その軸心部に挿通された操作軸４ａが、前述した解除レバー５の引き上げ操作によって、上記ロックスプリング４０の附勢力に抗した方向に回動操作されることにより、上記図示しないロック部品をラチェット１０との噛合状態から外して、リクライニング装置４のロック状態を解除するようになっている。ここで、上述した各操作軸４ａは、上述した各リクライニング装置４の中心部に対して、シートバックフレーム２ａのシート内側の各側部からそれぞれシート外側に向かって軸方向に差し込まれて挿通されている。詳しくは、各操作軸４ａは、シートバックフレーム２ａに形成された貫通孔２ｃと、リクライニング装置４のラチェット１０の中心部に形成された貫通孔１３と、ヒンジカム３０の貫通孔３１（ガイド２０の貫通孔２３）と、シートクッションフレーム３ａに形成された貫通孔３ｃと、に貫通してシート外側に突出した状態として挿通されている。
【００２５】
各操作軸４ａは、それらのシート内側の端部に、各軸の軸径よりも太い円筒状の頭部４ａ１が形成されている。各頭部４ａ１には、ロッド４ｂの各端部が嵌め込まれて一体的に結合されている。これにより、各操作軸４ａは、上記ロッド４ｂを介して互いに一体的に回動するように連結された状態とされている。各操作軸４ａは、上述した各頭部４ａ１の太径形状によって、それぞれ、各リクライニング装置４からシート外側には抜け落ちない構成となっている。上記各操作軸４ａのうち、車両外側（図３の外側）に配された操作軸４ａには、そのシートクッションフレーム３ａからシート外側に突出した部位箇所に、解除レバー５のフレームが一体的に溶着されて結合されている。
【００２６】
この解除レバー５の引き上げ操作を行うことにより、各操作軸４ａが各リクライニング装置４のロックスプリング４０の附勢力に抗した方向に一斉に回動操作されて、各リクライニング装置４のロック状態が一斉に解除される。また、上記解除レバー５の引き上げ操作をやめることにより、各操作軸４ａが、上記各リクライニング装置４のロックスプリング４０の附勢力によってヒンジカム３０と共にロックの回転方向に回動し、各リクライニング装置４が一斉にロック状態に戻される。
【００２７】
ここで、上記各操作軸４ａと各ヒンジカム３０との連結は、各ヒンジカム３０が各リクライニング装置４をロックさせる位置まで回動した状態から、各操作軸４ａが更に同方向に一定量単独で空振り回転することのできる遊び角Ｔｄが設定された連結とされている。この遊び角Ｔｄは、図２に示すように、解除レバー５が初期位置から一定量引き上げ操作されても、各操作軸４ａを回動させないようにして、操作感を高めるものとして設定されている。具体的には、図３に示すように、上記遊び角Ｔｄは、各操作軸４ａが断面矩形状の形に形成されており、各ヒンジカム３０の貫通孔３１が、上記各操作軸４ａを一定の角度範囲内で空転させることのできる蝶羽状の孔形状に形成されており、各操作軸４ａが各ヒンジカム３０の貫通孔３１の各側面３１ａと当たる間の範囲内で空転することのできる角度領域として設定されている。
【００２８】
したがって、上記遊び角Ｔｄの設定により、解除レバー５が引き上げ操作される前の初期位置においては、各リクライニング装置４をロックの回動方向に附勢する各ロックスプリング４０の附勢力は、もっぱら、各ヒンジカム３０をロック位置まで回動させてその位置に係止させる力として作用し、各操作軸４ａ及び解除レバー５は、上記ロック位置に係止されたヒンジカム３０に対して、上記遊び角Ｔｄの設定範囲内において空転することのできる状態（バタ付く状態）とされる。そこで、上記各操作軸４ａと、シートクッションフレーム３ａとの間には、各操作軸４ａ及び解除レバー５を、上記初期位置にてバタ付かせないように、これらを初期位置に押さえ付けるように回転附勢するトーションスプリング７が掛着されている。
【００２９】
これらトーションスプリング７は、各操作軸４ａにシート外側から軸方向に挿通されて巻装された状態として組み付けられている。各トーションスプリング７は、それらの各操作軸４ａへの挿通先となるシート内側の端部７ａが、各操作軸４ａの断面矩形状の角張った断面形状部に合致する形に曲げられた形に形成されており、上記挿通により、それらの内側の端部７ａが、各操作軸４ａに対して回転方向に一体的な状態となって掛着されるようになっている（図２参照）。また、各トーションスプリング７のシート外側に巻き出された外側の端部７ｂは、上記内側の端部７ａの掛着の後、捩り込まれて、前述したシートクッションフレーム３ａの各外側の側部に結合された各Ｌ字板３ｂの先から下方側に折り曲げられた各バネ掛片３ｂ１の前縁部に掛着されて固定されている。ここで、バネ掛片３ｂ１が、本発明の「フレーム部」に相当する。
【００３０】
これらトーションスプリング７の掛着により、各操作軸４ａには、左右で均等に作用するバネ附勢力がかけられた状態とされており、これら均等に左右するバネ附勢力を受けて、解除レバー５が初期位置にてバタ付かないように保持された状態とされている。なお、各トーションスプリング７の附勢方向は、図３において前述した各リクライニング装置４のロックスプリング４０の附勢方向と同じ方向となっているため、これらトーションスプリング７も、各操作軸４ａを通して各ヒンジカム３０にロックの回動方向への附勢力をかける附勢部材として機能するようになっている。
【００３１】
ところで、上述した各操作軸４ａは、ロッド４ｂを介して軸方向にひとつに組み付けられる構成となっていることから、それらの頭部４ａ１と各側のリクライニング装置４のラチェット１０の側面との間に、軸方向の組み付け性を担保するための隙間Ｃｌが設定されている。これにより、各操作軸４ａとロッド４ｂの一体構造物は、上記隙間Ｃｌの範囲内で軸方向にガタ付きを生じる構成とされている（図４参照）。このガタ付きにより、各操作軸４ａのシート外側の端部に掛着されている各トーションスプリング７が、各操作軸４ａから抜けて脱落するおそれが考えられる。例えば、図４に示すように、各操作軸４ａが図示左側にガタ付いて移動すると、図示右側のトーションスプリング７が操作軸４ａから抜けて脱落するおそれが考えられる。逆のガタ付きの場合には、その逆側のトーションスプリング７が脱落するおそれが考えられる。
【００３２】
しかし、本実施例における各トーションスプリング７は、各操作軸４ａのシート外側に突出する端部にシート外側から軸方向に挿通されて巻装され、その挿通先となるシート内側の端部７ａが、各操作軸４ａに掛着され、シート外側の端部７ｂが、シートクッションフレーム３ａに結合された各バネ掛片３ｂ１に掛着されて設けられている。これにより、各トーションスプリング７は、その取り付けられた側の操作軸４ａがシート内側（軸方向）にガタ付いても、そのシート内側の端部７ａと操作軸４ａのシート外側の端部との間に巻装された軸方向のラップ長Ｒａがあることにより、操作軸４ａとの掛着から外れにくくなっている。また、各トーションスプリング７は、それらの内側の端部７ａと外側の端部７ｂとが互いに相反する軸方向位置に設定された形状のバネとなっているため、その取り付けられた側の操作軸４ａがシート内側（軸方向）にガタ付いても、軸方向に延伸される変形態様となり（図４参照）、押し窄められて操作軸４ａの端部から外されるような変形態様とはならなくなる。このように、トーションスプリング７を、操作軸４ａに設定された軸方向の隙間Ｃｌによるガタ付きがあっても、操作軸４ａとの掛着から外れにくくなるようにすることができる。
【００３３】
また、本実施例の構成では、各トーションスプリング７は、各操作軸４ａに対して、シート外側から軸方向に挿通することにより、それらのシート内側の端部７ａを各操作軸４ａの角張った断面形状部に合致させた状態に掛着させることができ、各トーションスプリング７の掛着を簡便に行うことができる。また、各トーションスプリング７のシート内側の端部７ａが各操作軸４ａに掛着する両者の軸方向のラップ長Ｒａを、各操作軸４ａの角張った断面形状部を軸方向に延長することで簡便に長く設定することができる。なお、各リクライニング装置４の詳細な構成については、特開２０１１−１１６３０３号公報等の文献に開示されたものと同じものとなっているため、その具体的な説明は省略することとする。
【００３４】
以上、本発明の実施形態を１つの実施例を用いて説明したが、本発明は上記実施例のほか各種の形態で実施することができるものである。例えば、上記実施例では、シートバック２がリクライニング装置４を介して連結される対象として、シートクッション３を例示したが、「シートクッション」たる構成の概念は、フロアに対して固定されるベース部材を指すものであり、車体構造物も含まれる。
【００３５】
また、上記実施例では、ラチェット１０がシートバックフレーム２ａに連結され、ガイド２０がシートクッションフレーム３ａに連結された構成を例示したが、ラチェット１０がシートクッションフレーム３ａに組み付けられ、ガイド２０がシートバックフレーム２ａに組み付けられる構成であってもよい。また、本発明の構成は、リクライニング装置がシートバックとシートクッションとの片側の連結部においてのみ設定される構成にも適用することができる。また、トーションスプリングを、操作軸とシートバックのフレーム部との間に掛着させてもよい。また、トーションスプリングを、常時、操作軸をリクライニング装置をロックさせる機能のために（すなわちロックスプリングとして）用いるようにしたものであってもよい。
【符号の説明】
【００３６】
１      車両用シート
２      シートバック
２ａ    シートバックフレーム
２ｂ    Ｌ字板
２ｃ    貫通孔
３      シートクッション
３ａ    シートクッションフレーム
３ｂ    Ｌ字板
３ｂ１  バネ掛片（フレーム部）
３ｃ    貫通孔
３ｄ１  前倒れストッパ
３ｄ２  後倒れストッパ
４      リクライニング装置
４ａ    操作軸
４ａ１  頭部
４ｂ    ロッド
５      解除レバー
６      渦巻きバネ
６ａ    内側の端部
６ｂ    外側の端部
７      トーションスプリング
７ａ    内側の端部
７ｂ    外側の端部
１０    ラチェット
１１    円盤部
１２    円筒部
１３    貫通孔
２０    ガイド
２１    円盤部
２２    円筒部
２３    貫通孔
３０    ヒンジカム
３１    貫通孔
３１ａ  側面
４０    ロックスプリング
５０    外周リング
Ｃｌ    隙間
Ｔｄ    遊び角
Ｒａ    ラップ長
【図１】
0005766584.tif 000002
【図２】
0005766584.tif 000003
【図３】
0005766584.tif 000004
【図４】
0005766584.tif 000005